(57)【要約】【課題】  従来の航空機用ポッド収納型アンテナ装置では、精度良くアンテナユニットや電子機器ユニットをポッドの所定位置にネジ止め固定し、レド−ムに電波の放射面を対向させする必要があった。手狭なポッドへのアンテナユニットのネジ止めのために、ポッド内に作業空間を確保する必要があり、装置の軽量化と空力抵抗の抑制に制約があった。【解決手段】  本発明の航空機用ポッド収納型アンテナ装置は、ポッドの内側にストッパを備えてレ−ルを設け、このレ−ルを共に軌道とするスライド部を備えたアンテナユニットならびに電子機器ユニットを、所定位置まで挿入することで、ポッド内の作業空間を最小限にするものである。【選択図】  図１
2007274151.tif 000002
【特許請求の範囲】
【請求項１】
レド−ムを備えた航空機用ポッド、前記航空機用ポッドの内側に固定され、前記レド−ム近傍まで延びたレ−ル、前記レ−ルにガイドされ移動するスライド部を備えたアンテナユニットならびに電子機器ユニット、前記レ−ル上のアンテナユニットならびに電子機器ユニットが電気的に対面接続可能なように前記アンテナユニットならびに電子機器ユニットに、それぞれ設けられた電気コネクタを備えたことを特徴とする航空機用ポッド収納型アンテナ装置。
【請求項２】
レド−ムにアンテナユニットの電波放射面を対向させるようにしたことを特徴とする請求項１に記載の航空機用ポッド収納型アンテナ装置。
【請求項３】
アンテナユニットおよび電子機器ユニットに設けられた電気コネクタが、互いに接続可能なブラグイン嵌合タイプであることを特徴とする請求項１に記載の航空機用ポッド収納型アンテナ装置。
【請求項４】
レ−ル上のアンテナユニットならびに電子機器ユニットが、機械的に対面接続可能なように、互いに接続可能なブラグイン嵌合タイプの流体コネクタを、アンテナユニットおよび電子機器ユニットに、それぞれ備えたことを特徴とする請求項１に記載の航空機用ポッド収納型アンテナ装置。
【請求項５】
開閉自在のレド−ムを備えたことを特徴とする請求項１ないし請求項４のいずれかに記載の航空機用ポッド収納型アンテナ装置。
【請求項６】
アンテナユニットとレド−ムを一体化構造にしたことを特徴とする請求項５記載の航空機用ポッド収納型アンテナ装置。
【発明の詳細な説明】
【技術分野】
【０００１】
本発明は、例えば航空機用ポッド内にアンテナ等の電子機器を搭載した航空機用ポッド収納型アンテナ装置に関するものである。
【背景技術】
【０００２】
半球状や円錐状の航空機へのアンテナ装置の搭載は、機体にレド−ム付きの航空機ポッドを取り付け、この中の所定の位置にアンテナ等の電子機器をネジ止め固定し、アンテナと電子機器とをケ−ブル配線することで、実施されていた（例えば、特許文献１、２参照）。
【０００３】
【特許文献１】特開平６−２８３９１８号公報（図１）
【特許文献２】特開２００１−１８３０２６号公報（段落０００６、図１）
【発明の開示】
【発明が解決しようとする課題】
【０００４】
従来の航空機用ポッド収納型アンテナ装置では、優れたアンテナ特性を確保するため、レド−ムに対してアンテナの放射面を対向させる必要があり、手狭なポッド内の所定の位置に精度良くアンテナ等の各電子機器等をネジ止め固定し、これらをケ−ブル配線する必要があった。そのため、熟練作業を要し、また、作業に必要な作業空間（固定用治具や手を入れる空間）の確保が必要となるため、ポッドの容積増加につながり、航空機ポッドとしての性能指標である軽量化や空力抵抗の抑制に制約を与えていた。
【０００５】
本発明は上記の課題を解決し、たとえ、熟練作業者がいなくても、また、ポッド内に充分な作業空間がなくとも、ポッド内への電子機器の収納性を高め、容易に手狭なポッド内の所定の位置にアンテナや電子機器等を固定したり、ケ−ブル配線したりできる航空機用ポッド収納型アンテナ装置を提供することを目的とする。
【課題を解決するための手段】
【０００６】
本発明の航空機用ポッド収納型アンテナ装置は、レド−ムを備えた航空機用ポッド、前記航空機用ポッドの内側に固定され、前記レド−ム近傍まで延びたレ−ル、前記レ−ルにガイドされ移動するスライド部を備えたアンテナユニットならびに電子機器ユニット、前記レ−ル上のアンテナユニットならびに電子機器ユニットが電気的に対面接続可能なように前記アンテナユニットならびに電子機器ユニットにそれぞれ設けられた電気コネクタを備えたことを特徴とするものである。
【発明の効果】
【０００７】
上記の様に構成された航空機用ポッド収納型アンテナ装置では、アンテナユニットや電子機器ユニットをレ−ルに装着し、レ−ルに沿うようガイドして、ポッド内に押し込むため、レド−ム近傍までアンテナユニットを挿入することができ、また、アンテナユニットならびに電子機器ユニットに設けられた電気コネクタを互いに対面接続できるため、作業空間を設けることなく、手狭なポッド内の所定の位置にアンテナや電子機器等を配置し、それぞれを対面状態で、電気的に接続（配線）することができる。
【発明を実施するための最良の形態】
【０００８】
実施の形態１．
以下、図面に基づいて本発明の実施の形態１について詳細に説明する。図１はこの発明の実施の形態１の航空機用ポッドの概略構成図、図２はこの発明の実施の形態１の航空機用ポッド収納型アンテナ装置の概略構成図、図３はこの発明の実施の形態１のアンテナを収めたアンテナユニットやＲＦ回路や信号処理回路等を収めた電子機器ユニットのもつユニットの斜視図、図４はこの発明の航空機用ポッド収納型アンテナ装置の断面図、図５はこの発明の実施の形態１の航空機用ポッドに各ユニットを挿入する際の概略図、図６はこの発明の実施の形態１の各ユニットに設けられた、電気コネクタ及び配管の接続部を示す側面図である。なお、図１ないし図６中、同一部分もしくは相当部分には同一の符号を付与している。
【０００９】
図１に示すように、航空機用ポッド１はリング状強度部材２を補強部材３で連結し、それらの表面に外板４をリベットないしボルト等にて取付けた基本構造をしている。また、航空機用ポッド１の前後端には電波を透過するレド−ム５が取り付けられ、航空機用ポッド１の内部に収められるアンテナユニットや電子機器ユニット等の各ユニットの出し入れを行う搬入扉６が設けられている。なお、搬入扉６は取り外し可能としておいても良い。航空機用ポッド１の内側の補強部材３には、レド−ム５に近い位置にストッパ−となる車止めを有したレ−ル７が固定され、レド−ム５から搬入扉６に至る間に設けられている。なお、車止めは必要に応じて他のストパ−や航空機用ポッド１の外板４等の内壁で代用してもよく、ポッド内へ挿入されるアンテナユニットが所定の位置を超えてそれ以上に送り込まれないようにするものであれば、いかなるものであっても良い。
【００１０】
図２に示すように、この発明の航空機用ポッド収納型アンテナ装置は、図示しない航空機用ポッド１内の補強部材３に固定されたレ−ル７を軌道として、アンテナユニット８１、第１の電子機器ユニット（ＲＦ回路ユニット）８２、第２電子機器ユニット（信号処理ユニット）８３、第３電子機器ユニット（電源ユニット）８４、冷却器ユニット８５等の各ユニット８を収納したものである。なお、第１の電子機器ユニット８２、第２電子機器ユニット８３、第３電子機器ユニット８４は、必要に応じて１つないし３つ以上の電子機器ユニットに、統合ないし分割しても良い。また、冷却器ユニット８５は、各電子機器ユニットを冷却するために搭載されたものであるが、各電子機器ユニットの発熱が小さい場合は、省略しても良い。
【００１１】
図３に示すように、この発明の各ユニット８の接続部品には、プラグイン嵌合タイプの電気コネクタである電源／信号コネクタ９１、ＲＦコネクタ９２、流体コネクタであるＯリング付き冷却液配管部品９３が備わり、さらに、航空機用ポッド１内に固定されるレ−ル７をガイド（軌道）とするスライド部である車輪１０が、側面に各４個づつ備わっている。なお、Ｏリング付き冷却液配管部品９３は、冷却器ユニット８５が省略される場合は、省略しても良い。
【００１２】
なお、アンテナユニット８１には、アンテナが搭載され、予め設計された所定の方向に向けて放射面を有し、少なくとも電磁波の送信または受信の実施ができるようになっている。言い換えると、アンテナユニット８１は、予め所定の方向に電磁波の放射面を有するように設計され、さらに航空機用ポッドの所定の位置に配置されると同時に、航空機用ポッドの電磁波を通すレド−ムと放射面を対面するように設計されている。また、搭載されるアンテナが、フェ−ズドアレイ型アンテナのように放射面を適宜変更できるものである場合であっては、変更可能な放射面の範囲において、レド−ムが対面するように設計されているものである。
【００１３】
図４に示すように、各ユニット８に備わった各車輪１０は、それぞれ対応する航空機用ポッド１に固定された４つのレ−ル７に分かれて装着される。従って、各ユニット８は、航空機用ポッド１の補強部材３に固定されたレ−ル７に沿って、航空機ポッド１内を容易に移動することができる。なお、車輪１０および、レ−ル７の数は適宜必要に応じて決めればよく、例えば、レ−ル７が車輪１０を挟持するような場合であれば、車輪１０は各ユニット８に１個備わっておればよく、その場合レ−ル７も１個あれば十分である。
【００１４】
図５に示すように、各ユニット８は、航空機用ポッド１の搬入扉６を開放（取り外しても良い）することから挿入され、各車輪１０をレ−ル７に装着されることで、それぞれレ−ル７をガイド（軌道）として航空機用ポッド１の内部に押し込まれる。
【００１５】
その際、図６に示すように、航空機用ポッド１の内部に押し込まれた各ユニット８の備えるコネクタ９は雄、雌であり、各ユニット８ともに共通のレ−ル７をガイドとすることにより、例えば電源／信号コネクタ９１ａおよび９１ｂ、ＲＦコネクタ９２ａおよび９２ｂ、Ｏリング付き冷却液配管部品９３ａおよび９３ｂと、雄、雌の相対的な位置関係を、それぞれ、プラグイン嵌合出来る位置関係に対向配置できるように設計されている。次に、航空機用ポッド１の搬入扉６からさらに各ユニット８を押し込むことによって、アンテナユニット８１はレド−ム５の近い位置に設けられた車止めの位置（所定の位置にするために設けられている）まで移動し、停止する。さらなる押し込みにより、各ユニット間の電源／信号コネクタ９１ａおよび９１ｂ、ＲＦコネクタ９２ａおよび９２ｂ、Ｏリング付き冷却液配管部品９３ａおよび９３ｂは、互いに雄、雌で対面しているため、容易に嵌合され、アンテナユニット８１と各電子機器ユニットならびに冷却器ユニットとを電気的、あるいは機械的に接続させた状態になり、同時に、各ユニット８は所定の位置に配置されて停止する。所定の位置に配置された各ユニット８は、搬入扉６側のレ−ル７端の少なくとも１つに車輪止めを装着するなどして、搬入扉６に最も近いユニット（８４および８５）の車輪１０の少なくとも１つを、それぞれ固定することで、簡便に各ユニット８を所定の位置に一機に固定することができる。
【００１６】
なお、航空機からの航空機用ポッド収納型アンテナ装置への給電と制御信号の送信は、例えば、航空機用ポッド収納型アンテナ装置に設けられた図示しないインタ−フェ−スであるケ−ブル口を通して、第３電子機器ユニット（電源ユニット）８４や冷却器ユニット８５等の各ユニットの電源／信号コネクタ９１やＲＦコネクタ９２等に電気的に接続できるように、予め、設計しておけばよい。
【００１７】
以上のように構成したので、本発明の実施の形態１の航空機用ポッド収納型アンテナ装置は、ポッドの搬入扉側のレ−ル端に、アンテナユニットのスライド部である車輪を装着し、レ−ルを軌道とし、レ−ルに沿って、アンテナユニットをポッド内に押し込むことにより、アンテナユニットの放射面をレド−ムに容易に対面させることができる。さらに、ポッドの搬入扉側のレ−ル端に、電子機器ユニットのスライド部を装着し、レ−ルに沿って電子機器ユニットをポッド内に押し込むことにより、アンテナユニットと電子機器ユニット等とを所定の位置に配置させることができ、また、上述のように、搬入扉６に最も近いユニットの車輪１０の少なくとも１つを、それぞれ固定することで、簡便にユニット８全体を所定の位置に固定することができるという効果が得られる。従って、従来のような熟練作業を必要とせず、また、各ユニットのネジ止め作業に必要な作業空間の確保が不要となるため、ポッドの容積を少なくでき、航空機ポッド収納型アンテナ装置を軽量化したり空力抵抗の抑制を容易にしたりできるという格別な効果が得られる。
【００１８】
実施の形態２
以下、図面に基づいて本発明の実施の形態２について説明する。図７はこの発明の実施の形態２に用いられるユニットの斜視図、図８はこの発明の実施の形態２の航空機用ポッドに各ユニットを挿入する際の概略図、図９はこの発明の実施の形態２の各ユニットに設けられた電気コネクタ及び配管の接続部を示す側面図である。なお、図７ないし図９中の各部位において、図１ないし図６と同一部分もしくは相当部分には同一の符号を付与している。
【００１９】
上記実施の形態１では、特に図３において詳述したように、各ユニット８の接続部品にプラグイン嵌合タイプの電源／信号コネクタ９１、ＲＦコネクタ９２、Ｏリング付き冷却液配管部品９３がレ−ル７の方向と同一の方向に備わった場合の、航空機用ポッド収納型アンテナ装置について述べた。本発明の実施の形態２では、各ユニットの接続部品の一部が、レ−ル７の方向と異なる方向に備わった場合についての説明で、それ以外の部分は本発明の実施の形態１と全く同じ構成である。
【００２０】
本発明の実施の形態２に用いられるユニット８には、図７に示すように、ユニット８６の側面にケ−ブル接続用の電気／信号コネクタ９４ａが、図３のユニットに付け足された形で配置されている。従って、各ユニット８４間のプラグイン嵌合タイプの電源／信号コネクタ９１、ＲＦコネクタ９２、Ｏリング付き冷却液配管部品９３は、実施の形態１と同様に、航空機用ポッド１の搬入扉６から航空機用ポッド１内へ、各ユニット８６を押し込むことで、容易に所定の位置において接続される。以下、各ユニット８６の接続部品の一部が、レ−ル７の方向と異なる方向であるユニットの側面に設けられた電気／信号コネクタ９４ａと任意の電気ケ−ブル８７との接続についてのみ詳細に説明する。
【００２１】
図８に示すように、各ユニット８６が所定の位置に挿入された際に、その側面に設けられた電気／信号コネクタ９４ａが配置される近傍の外板４やレド−ム５を取り外すことから、手作業により、任意の電気ケ−ブル８７と電気／信号コネクタ９４ａを接続するものである。すなわち、図９に示すように、任意の電気ケ−ブル８７に、伸縮自在のフレキシブルなケ−ブル８８を設け、その先端に電気／信号コネクタ９４ａと合う、コネクタ９４ｂを設け、これらを接続するものである。
【００２２】
任意の電気ケ−ブル８７に伸縮自在のフレキシブルなケ−ブル８８を設けたことにより、手狭なポッド内の所定の位置の電気／信号コネクタ９４ａに対して、容易にコネクタ９４ｂを対向できるようになるため、各ユニットの側面に設けられたコネクタの間を容易に電気的に接続できるようになるという、格別の効果が得られる。
【００２３】
実施の形態３
以下、図面に基づいて本発明の実施の形態３について説明する。図１０はこの発明の実施の形態３に用いられる航空機用ポッド収納型アンテナ装置の概略構成図である。なお、図１０の各部位において、図１ないし図９と同一部分もしくは相当部分には同一の符号を付与している。
【００２４】
上記実施の形態１および実施の形態２では、特に図１において詳述したように、搬入扉６が設けられた航空機用ポッド収納型アンテナ装置について述べた。これに対して、本発明の実施の形態３では、図１０に示すよう、搬入扉６の代わりに、航空機用ポッド１のもつレド−ム５１の少なくとも１つを容易に取り外せる構造とし（扉構造でも良い）、レド−ム５１を外した部分から、外さなかった対面のレド−ム５２の近い位置にまでレ−ル７を設け、その端に（対面のレド−ム５２の近傍）にストッパ−となる車止めを設けたものであり、それ以外の部分は本発明の実施の形態１および実施の形態２と全く同じ構成である。すなわち、実施の形態３に記載のレド−ム５１が上記実施の形態１および実施の形態２に記載の搬入扉６に置き換わったものであり、レド−ム５１を開閉自在とすることにより、航空機用ポッドの中に各ユニット８を搭載できるようにしたものである。
【００２５】
従って、レド−ム５１を外した部分から航空機用ポッド１内へ、レ−ル７を軌道として、各ユニット８を押し込むことにより、各ユニット間のプラグイン嵌合タイプの電源／信号コネクタ９１、ＲＦコネクタ９２、Ｏリング付き冷却液配管部品９３は、実施の形態１および実施の形態２と同様に容易に接続される。また、各ユニット間でプラグ等を接続した後は、レド−ム５１を外した部分に近いレ−ル端の少なくとも１つに、ストッパ−となる車止めを設け・固定することで、容易に各ユニットを所定の位置に固定することができる。
【００２６】
以上のように構成したので、実施の形態３の航空機用ポッド収納型アンテナ装置は、実施の形態１および実施の形態２の航空機用ポッド収納型アンテナ装置に比べて、レ−ル７の本数を少なく出来るという効果が得られる。
【００２７】
また、開閉ないし取り外し可能としたレド−ム５１に、アンテナユニット８１を組み込み一体化するようにしておけば、レド−ム５１を航空機ポッド１に固定することが、ストパ−を設け、作用させたことと等価となり、容易に各ユニットを所定の位置に固定できるようになる。従って、各ユニット８を所定の位置に固定するために必要であったレ−ル７にストッパ−となる車止めを設ける必要がなく、作業が容易になるという効果が得られる。従って、従来のような熟練作業を必要とせず、また、各ユニット８のネジ止め作業に必要な作業空間の確保が不要となるため、ポッドの容積を少なくでき、航空機ポッド収納型アンテナ装置を軽量化や空力抵抗の抑制を容易にできるという効果が得られる。
【図面の簡単な説明】
【００２８】
【図１】実施の形態１の航空機用ポッドの概略構成図
【図２】実施の形態１の航空機用ポッド収納型アンテナ装置の概略構成図
【図３】実施の形態１のユニットの斜視図
【図４】実施の形態１の航空機用ポッド収納型アンテナ装置の断面図
【図５】実施の形態１の航空機用ポッドに各ユニットを挿入する際の概略図
【図６】実施の形態１の電気コネクタ及び配管の接続部を示す側面図
【図７】実施の形態２に用いられるユニットの斜視図
【図８】実施の形態２の航空機用ポッドに各ユニットを挿入する際の概略図
【図９】実施の形態２の電気コネクタ及び配管の接続部を示す側面図
【図１０】実施の形態３の航空機用ポッド収納型アンテナ装置の概略構成図
【符号の説明】
【００２９】
１  航空機用ポッド
５  レド−ム
７  レ−ル            
１０  車輪（スライド部に相当する）
８１  アンテナユニット    
８２  電子機器ユニット
９１  電気コネクタ    
９３  配管部品
【図１】
2007274151.tif 000003
【図２】
2007274151.tif 000004
【図３】
2007274151.tif 000005
【図４】
2007274151.tif 000006
【図５】
2007274151.tif 000007
【図６】
2007274151.tif 000008
【図７】
2007274151.tif 000009
【図８】
2007274151.tif 000010
【図９】
2007274151.tif 000011
【図１０】
2007274151.tif 000012